(57)【特許請求の範囲】
【請求項１】
アノードを一端に配置し且つ先端部が金属焼結体で形成されるカソードを他端に配置する閃光放電管と、該閃光放電管の一部を内部に収容する反射傘と、筒状のコアの外周部に一次巻線及び二次巻線が巻き回されるトリガコイルとを備え、
前記反射傘は、導電性を有し、前記閃光放電管のトリガ外部電極として機能すべく、該閃光放電管の外周面に当接し、
前記トリガコイルの二次巻線と前記反射傘とを電気的に接続する導電体を備えるストロボ装置であって、
前記トリガコイルは、前記二次巻線に電気的に接続される二次端子部を前記反射傘に隣接する端部に備え、
前記トリガコイルのコアは、前記閃光放電管の金属焼結体よりも他端側の部位が内部に挿入され、
前記反射傘は、前記カソードから放出される電子が該カソードの近辺から放電路を形成し易くなるように、アノード及びカソード間と金属焼結体全体とを少なくとも被覆するように構成された、前記閃光放電管の外周面に当接する底部を備え、
前記導電体は、前記閃光放電管に挿通されるべく筒状に形成されると共に、弾性を有し、軸線方向において縮んだ状態で前記トリガコイルの二次端子部と前記反射傘とに挟持され、
前記反射傘が、前記閃光放電管のトリガ電極として機能することを特徴とするストロボ装置。
【請求項２】
アノードを一端に配置し且つ先端部が金属焼結体で形成されるカソードを他端に配置する閃光放電管と、閃光放電管の一部を内部に収容する反射傘と、筒状のコアの外周部に一次巻線及び二次巻線が巻き回されるトリガコイルとを備え、
前記反射傘は、導電性を有し、閃光放電管のトリガ外部電極として機能すべく、閃光放電管の外周面に当接し、
前記トリガコイルの二次巻線と前記反射傘とを電気的に接続する導電体を備えるストロボ装置であって、
前記トリガコイルは、前記二次巻線に電気的に接続される二次端子部を前記反射傘に隣接する端部に備え、
該トリガコイルのコアは、前記閃光放電管の一端部が内部に挿入され、
前記反射傘は、前記カソードから放出される電子が該カソードの近辺から放電路を形成し易くなるように、アノード及びカソード間と金属焼結体全体とを少なくとも被覆するように構成された、前記閃光放電管の外周面に当接する底部を備え、
前記導電体は、前記閃光放電管に挿通されるべく筒状に形成されると共に、弾性を有し、軸線方向において縮んだ状態で前記トリガコイルの二次端子部と前記反射傘とに挟持され、
前記反射傘が、前記閃光放電管のトリガ電極として機能することを特徴とするストロボ装置。
【請求項３】
トリガコイルのコアは、閃光放電管を軸線方向で位置決めすべく、径方向内方に突出して閃光放電管の端部を係止する係止部を備えることを特徴とする請求項１又は請求項２に記載のストロボ装置。
【請求項４】
前記閃光放電管は透明導電膜を有しないことを特徴とする請求項１から請求項３のいずれか１項に記載のストロボ装置。
【発明の詳細な説明】
【技術分野】
【０００１】
本発明は、例えば写真撮影に用いられるストロボ装置に関する。
【背景技術】
【０００２】
従来、ストロボ装置として、アノードを一端に配置し且つ先端部が金属焼結体で形成されるカソードを他端に配置する閃光放電管と、閃光放電管の一部を内部に収容する反射傘と、筒状のコアの外周部に一次巻線及び二次巻線が巻き回されるトリガコイルとを備えるストロボ装置が知られている。
【０００３】
そして、斯かるストロボ装置においては、閃光放電管の表面に導電性の薄膜透明電極が設けられていると共に、トリガコイルの二次巻線が閃光放電管の表面に接続されている。斯かる構成によれば、薄膜透明電極がトリガ電極として作用することで、閃光放電管が点灯できる。
【０００４】
斯かるストロボ装置においては、一般に、リード線により、トリガコイルの二次側出力（二次巻線）とトリガ電極である薄膜透明電極とが接続されている。そして、リード線が半田付けで接続されているため，高電圧が繰り返し印加されると、リード線の接続部分が劣化することを避けられない。また、コイルの容積が大きいため、通常の構成では、装置の小型化に限界がある。
【０００５】
以上の問題を解決するために、トリガコイルを閃光放電管の端部に配置し、表面に薄膜透明電極を持つ閃光放電管に、トリガコイルの二次側出力（二次巻線）が直接接続させることにより，リード線の接続部分が劣化するという問題を低減させ、且つ装置の小型化が可能なストロボ装置が開示されている（特許文献１）。
【先行技術文献】
【特許文献】
【０００６】
【特許文献１】特許第３７１０７９４号公報
【発明の概要】
【発明が解決しようとする課題】
【０００７】
ところで、特許文献１に係るストロボ装置においては、閃光放電管の表面に薄膜透明電極が設けられているため、透明電極が閃光放電管から放射された光を吸収する。これにより、閃光放電管から放射される光量が不安定になるという問題を生じさせている。
【０００８】
よって、本発明は、斯かる事情に鑑み、閃光放電管の表面に薄膜透明電極が設けられていない場合は勿論のこと、閃光放電管の表面に薄膜透明電極が設けられている場合であっても、閃光放電管から放射される光量を安定させることができるストロボ装置を提供することを課題とする。
【課題を解決するための手段】
【０００９】
本発明に係るストロボ装置は、アノードを一端に配置し且つ先端部が金属焼結体で形成されるカソードを他端に配置する閃光放電管と、閃光放電管の一部を内部に収容する反射傘と、筒状のコアの外周部に一次巻線及び二次巻線が巻き回されるトリガコイルとを備え、反射傘は、導電性を有し、閃光放電管のトリガ外部電極として機能すべく、閃光放電管の外周面に当接し且つトリガコイルの二次巻線に電気的に接続されるストロボ装置であって、トリガコイルのコアは、閃光放電管の金属焼結体よりも他端側の部位を外側から嵌合し、反射傘は、アノード及びカソード間と金属焼結体とを少なくとも被覆するようにして閃光放電管の外周面に当接する底部を備えることを特徴とする。
【００１０】
また、本発明に係るストロボ装置は、アノードを一端に配置し且つ先端部が金属焼結体で形成されるカソードを他端に配置する閃光放電管と、閃光放電管の一部を内部に収容する反射傘と、筒状のコアの外周部に一次巻線及び二次巻線が巻き回されるトリガコイルとを備え、反射傘は、導電性を有し、閃光放電管のトリガ外部電極として機能すべく、閃光放電管の外周面に当接し且つトリガコイルの二次巻線に電気的に接続されるストロボ装置であって、トリガコイルのコアは、閃光放電管の一端部が内部に挿入され、反射傘は、アノード及びカソード間と金属焼結体とを少なくとも被覆するようにして閃光放電管の外周面に当接する底部を備えることを特徴とする。
【００１１】
斯かる構成によれば、閃光放電管の金属焼結体よりも他端側の部位、又は、閃光放電管の一端部がトリガコイルのコアの内部に挿入されている。これにより、トリガコイルが閃光放電管と離間して配置される構成と比較して、装置を小型化することができる。そして、導電性を有する反射傘は、閃光放電管の外周面に当接していると共に、トリガコイルの二次巻線に電気的に接続される。これにより、反射傘が閃光放電管のトリガ外部電極として機能する。
【００１２】
また、アノード及びカソード間に電圧が印加されると共に、反射傘の底部にトリガパルスが印加されることにより、アノード及びカソード間に電子の流れが起きる。このとき、閃光放電管の外周面に当接する反射傘の底部が、アノード及びカソード間と金属焼結体とを少なくとも被覆しているため、カソードから放出される電子がカソードの近辺から放電路を形成し易くなる。
【００１３】
また、請求項３記載の発明において、トリガコイルのコアは、閃光放電管を軸線方向で位置決めすべく、径方向内方に突出して閃光放電管の他端部を係止する係止部を備えることが好ましい。
【００１４】
斯かる構成によれば、トリガコイルのコアには、径方向内方に突出する係止部が設けられているため、係止部が閃光放電管の端部を係止する。これにより、トリガコイルに対して、閃光放電管を軸線方向で位置決めすることができる。
【００１５】
また、請求項４記載の発明において、トリガコイルの二次巻線と反射傘とを電気的に接続する導電体を備え、トリガコイルは、二次巻線に電気的に接続される二次端子部を反射傘に隣接する端部に備え、導電体は、閃光放電管に挿通されるべく筒状に形成されると共に、弾性を有し、軸線方向において縮んだ状態でトリガコイルの二次端子部と反射傘とに挟持されることが好ましい。
【００１６】
斯かる構成によれば、トリガコイルの一端部には、二次巻線に電気的に接続される二次端子部が設けられている。また、導電体は、筒状に形成されていると共に、弾性を有して形成されている。そして、導電体は、閃光放電管に挿通されていると共に、軸線方向において縮んだ状態でトリガコイルの二次端子部と反射傘とに挟持されている。これにより、導電体がトリガコイルの二次巻線と反射傘とを電気的に接続している。
【発明の効果】
【００１７】
以上の如く、本発明に係るストロボ装置によれば、カソードから放出される電子がカソードの近辺から放電路を形成し易くなるため、閃光放電管の表面に薄膜透明電極が設けられていない場合は勿論のこと、閃光放電管の表面に薄膜透明電極が設けられている場合であっても、閃光放電管から放射される光量を安定させることができるという優れた効果を奏する。
【図面の簡単な説明】
【００１８】
【図１】本発明の一実施形態に係るストロボ装置の全体斜視図
【図２】同実施形態に係るストロボ装置の図１のＡ−Ａ線における全体断面図
【図３】同実施形態に係るストロボ装置の全体分解斜視図
【図４】同実施形態に係るストロボ装置の要部分解斜視図
【図５】同実施形態に係るストロボ装置の要部図であって、（ａ）は斜視図、（ｂ）は正面図
【図６】同実施形態に係るストロボ装置の要部図であって、（ａ）は正面図、（ｂ）は斜視図
【図７】同実施形態に係るストロボ装置の要部図であって、（ａ）は斜視図、（ｂ）は別方向から見た斜視図
【発明を実施するための形態】
【００１９】
以下、本発明に係るストロボ装置における一実施形態について、図１〜図７を参酌して説明する。
【００２０】
図１〜図７に示すように、本実施形態に係るストロボ装置１は、光を放射し、その外周に透明導電膜を有しない閃光放電管２と、閃光放電管２の一部を内部に収容し、閃光放電管２のトリガ外部電極として機能する導電性の反射傘３と、閃光放電管２の他端部に配置されるトリガコイル４と、反射傘３とトリガコイル４とを電気的に接続する導電体５とを備える。また、ストロボ装置１は、反射傘３を収容するベース６と、閃光放電管２の一端部をベース６に固定させるブッシング７と、透光性を有し、ベース６とにより反射傘３を保持する光学パネル８とを備える。

【００２１】
閃光放電管２は、内部にキセノン等の希ガスが所定圧力で封入されている管状のガラスバルブ９と、一端に配置されるアノード１０と、他端に配置されるカソード１１とを備える。そして、閃光放電管２は、封入されているガスに電子が衝突することで発生する光を外部に放射するように構成されている。
【００２２】
アノード１０は、棒状電極であって、ガラスビード（図示しない）を介して溶着されることで、ガラスバルブ９の一端部に挿通状態で固定される。また、カソード１１は、ガラスビード（図示しない）を介して溶着されることで、ガラスバルブ９の他端部に挿通状態で固定される棒状電極１２と、先端部に配置され、棒状電極１２の端部に固定される金属焼結体１３とを備える。
【００２３】
反射傘３は、閃光放電管２のトリガ外部電極として機能すべく、閃光放電管２の外周面に当接する底部１４と、閃光放電管２から放射された光を外部に放射する開口部１５とを備える。また、反射傘３は、閃光放電管２から放射された光を開口部１５に向けて反射する側面反射部１６と、閃光放電管２を挿通して内部に収納する装着孔部１７とを備える。
【００２４】
底部１４は、アノード１０及びカソード１１間を被覆するようにして閃光放電管２の外周面に当接する基部１８を備える。そして、底部１４は、基部１８から閃光放電管２の軸線方向に延伸され、カソード１１の金属焼結体１３を被覆するようにして閃光放電管２の外周面に当接する延長部１９を備える。
【００２５】
基部１８は、円弧状に形成されている。具体的には、基部１８は、ガラスバルブ９の外周面に面接触すべく、ガラスバルブ９の径と略同径の円弧状に形成されている。そして、基部１８は、閃光放電管２から放射された光を反射する反射板として機能すると共に、閃光放電管２のトリガ外部電極としても機能する。
【００２６】
延長部１９は、円弧状に形成されている。具体的には、延長部１９は、ガラスバルブ９の外周面に面接触すべく、ガラスバルブ９の径と略同径の円弧状に形成されている。そして、延長部１９は、基部１８から延長されることで、基部１８と同様に、閃光放電管２のトリガ外部電極として機能する。
【００２７】
トリガコイル４は、筒状のコア２０と、コア２０の外周部に巻き回される一次巻線２１と、一端部が一次巻線２１の他端部に接続され、コア２０の外周部に巻き回される二次巻線２２とを備える。また、トリガコイル４は、一次巻線２１の一端部に接続される一次端子部２３と、一次巻線２１の他端部及び二次巻線２２の一端部に接続される共通端子部２４と、二次巻線２２の他端部に接続される二次端子部２５とを備える。
【００２８】
コア２０は、閃光放電管２を軸線方向で位置決めすべく、径方向内方に突出して閃光放電管２の他端部を係止する係止部２６を備える。そして、コア２０は、閃光放電管２におけるカソード１１の金属焼結体１３よりも他端側の部位が内部に挿入されている。なお、コア２０は、磁性体であって、具体的には、フェライトコアである。
【００２９】
一次巻線２１は、コア２０の他方側に配置されると共に、二次巻線２２は、反射傘３と隣接するコア２０の一方側に配置されている。また、一次端子部２３と共通端子部２４とは、外部端子となるように、棒状に突設されている。なお、共通端子部２４は、閃光放電管２のカソード１１と電気的に接続されている。そして、二次端子部２５は、環状で且つ板状に形成されていると共に、トリガコイル４の一端部、具体的には、反射傘３に隣接される端部に配置されている。
【００３０】
導電体５は、筒状に形成されていると共に、弾性を有して形成されている。そして、導電体５は、閃光放電管２に挿通されると共に、トリガコイル４の二次巻線２２と反射傘３とを電気的に接続すべく、軸線方向において縮んだ状態でトリガコイル４の二次端子部２５と反射傘３の外面部とに挟持されている。本実施形態において、導電体５は、スプリングとしている。
【００３１】
ベース６は、絶縁性を有する本体２７と、本体２７の内側に配置され、反射傘３の底部１４の外周部と当接する弾性体２８と、閃光放電管２のアノード１０と接続され、外部端子となるように板状に突設されるアノード端子部２９とを備える。そして、ベース６は、本体２７が光学パネル８に嵌合され、弾性体２８が弾性変形することにより、光学パネル８とで反射傘３を挟持する。
【００３２】
本実施形態に係るストロボ装置１の構成については以上の通りであり、次に、本実施形態に係るストロボ装置１の作用について説明する。
【００３３】
まず、アノード１０及びカソード１１に電圧が印加されると共に、反射傘３の底部１４にトリガパルスが印加される。これにより、反射傘３の基部１８及び延長部１９に当接するガラスバルブ９の内周付近でガラスバルブ９に封入されているガスが活性化されて電離する。
【００３４】
そして、カソード１１からも電子が放出されて電離を一層強め、電離したガスが電気を良く通すようになる。これにより、アノード１０からカソード１１に一挙に大きな電流が流れ、閃光放電管２が光を外部に照射する。このとき、トリガパルスが延長部１９に印加されているため、カソード１１から放出される電子がカソード１１の近辺から放電路を形成する。
【００３５】
以上より、本実施形態に係るストロボ装置１によれば、アノード１０及びカソード１１間に電圧が印加されると共に、反射傘３の底部１４にトリガパルスが印加されると、アノード１０及びカソード１１間に電子の流れが起きる。このとき、閃光放電管２の外周面に当接する反射傘３の底部１４が、アノード１０及びカソード１１間と金属焼結体１３とを被覆しているため、カソード１１から放出される電子がカソード１１の近辺から放電路を形成し、その結果、閃光放電管２から放射される光量を安定させることができる。
【００３６】
また、本実施形態に係るストロボ装置１によれば、トリガコイル４のコア２０が閃光放電管２のカソード１１の金属焼結体１３よりも他端側の部位を外側から嵌合している。これにより、トリガコイル４が閃光放電管２と離間して、別々に配置される構成と比較して、ストロボ装置１を小型化することができる。
【００３７】
また、本実施形態に係るストロボ装置１によれば、導電性を有する反射傘３は、閃光放電管２の外周面に当接していると共に、トリガコイル４の二次巻線２２に電気的に接続されている。これにより、反射傘３が閃光放電管２のトリガ外部電極として機能する。
【００３８】
また、本実施形態に係るストロボ装置１によれば、トリガコイル４のコア２０には、径方向内方に突出する係止部２６が設けられているため、係止部２６が閃光放電管２の他端部を係止する。これにより、トリガコイル４に対して、閃光放電管２を軸線方向で位置決めすることができる。
【００３９】
また、本実施形態に係るストロボ装置１によれば、トリガコイル４の一端部には、二次巻線２２に電気的に接続される二次端子部２５が設けられている。また、導電体５は、筒状に形成されていると共に、弾性を有して形成されている。そして、導電体５は、閃光放電管２に挿通されていると共に、軸線方向において縮んだ状態でトリガコイル４の二次端子部２５と反射傘３とに挟持されている。
【００４０】
これにより、導電体５がトリガコイル４の二次巻線２２と反射傘３とを電気的に接続している。したがって、トリガコイル４や反射傘３に導電体５を半田付け等で溶着することなく、導電体５がトリガコイル４や反射傘３に接続することができるため、ストロボ装置１の組み立て（製造工程）を簡素化することができる。
【００４１】
なお、本発明に係るストロボ装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４２】
例えば、上記実施形態に係るストロボ装置１においては、閃光放電管２の表面に薄膜透明電極が設けられていない構成を説明したが、斯かる構成に限られず、閃光放電管２の表面に薄膜透明電極が設けられている構成でもよい。斯かる構成であっても、閃光放電管２の外周面に当接する反射傘３の底部１４が、アノード１０及びカソード１１間と金属焼結体１３とを少なくとも被覆することにより、閃光放電管２から放射される光量を安定させることができる。
【００４３】
また、上記実施形態に係るストロボ装置１においては、閃光放電管２の他端部がトリガコイル４のコア２０の内部に挿入される構成を説明したが、斯かる構成に限られない。例えば、閃光放電管２の一端部がトリガコイル４のコア２０の内部に挿入される構成でもよい。
【００４４】
また、上記実施形態に係るストロボ装置１においては、延長部１９が円弧状に形成されている構成を説明したが、斯かる構成に限られない。例えば、延長部１９は、平板状に形成されている構成でもよい。
【００４５】
また、上記実施形態に係るストロボ装置１においては、導電体５がスプリングである構成を説明したが、斯かる構成に限られない。例えば、導電体がトリガコイル４の二次端子部２５と反射傘３とを接続するリード線である構成でもよい。
【産業上の利用可能性】
【００４６】
本発明に係るストロボ装置は、閃光放電管から放射される光量を安定させることができ、例えば写真撮影に用いられるストロボ装置として有用である。
【符号の説明】
【００４７】
１  ストロボ装置
２  閃光放電管
３  反射傘
４  トリガコイル
５  導電体
６  ベース
７  ブッシング
８  光学パネル
９  ガラスバルブ
１０  アノード
１１  カソード
１２  棒状電極
１３  金属焼結体
１４  底部
１５  開口部
１６  側面反射部
１７  装着孔部
１８  基部
１９  延長部
２０  コア
２１  一次巻線
２２  二次巻線
２３  一次端子部
２４  共通端子部
２５  二次端子部
２６  係止部
２７  本体
２８  弾性体
２９  アノード端子部
【図１】
0005919460.tif 000002
【図２】
0005919460.tif 000003
【図３】
0005919460.tif 000004
【図４】
0005919460.tif 000005
【図５】
0005919460.tif 000006
【図６】
0005919460.tif 000007
【図７】
0005919460.tif 000008